(57)【要約】【課題】簡素な構成で十分な押圧力を得て、確実に音洩れを防止する。【解決手段】爪部７ｃがフック部２２ｇに係止されて、小型スピーカ７は、リアカバー２２の裏面側に位置決めされた状態で取り付けられる。クッション部材２５は、傾斜面２２ｂと小型スピーカ７の先端面７ｂとの間、及び下面２２ｅと天井面７ｆとの間に挟まれ、それぞれ、例えば、先端面７ｂ、天井面７ｆに略垂直な方向に沿った圧接力を受けて圧接されて変形する。これによって、リアカバー２２の開口部２２ａの内部側縁部と、小型スピーカ７の開口部とは、圧接されたクッション部材２５を介して密閉され、音洩れが防止された状態で接合される。【選択図】図１
2006019980.tif 000002
【特許請求の範囲】
【請求項１】
小型スピーカが携帯型電子機器の筐体内に実装された小型スピーカ実装構造であって、
前記小型スピーカは、基板上に配置され、かつ、主として前記基板に略平行な方向に沿ってスピーカ音が放射される第１の開口部を有し、
前記筐体の前記第１の開口部と重なる位置には、前記スピーカ音の出口となる第２の開口部が設けられ、
前記筐体の裏面側には、前記第１の開口部と前記第２の開口部との間を音響的に密に接合するように、前記小型スピーカを保持するための保持部材が設けられていることを特徴とする携帯型電子機器における小型スピーカ実装構造。
【請求項２】
前記小型スピーカは、前記保持部材によって、少なくとも前記第２の開口部に向けて押圧された状態で保持されていることを特徴とする請求項１記載の携帯型電子機器における小型スピーカ実装構造。
【請求項３】
前記筐体は、扁平な外観形状を呈し、前記第２の開口部は、前記筐体の側面部に設けられていることを特徴とする請求項１又は２記載の携帯型電子機器における小型スピーカ実装構造。
【請求項４】
前記第１の開口部の端面及び前記第２の開口部の内部側端面は、互いに略平行で共に前記基板に対して傾斜した傾斜面とされていることを特徴とする請求項１、２又は３記載の携帯型電子機器における小型スピーカ実装構造。
【請求項５】
前記第１の開口部の端面及び前記第２の開口部の内部側端面は、前記基板に垂直な方向に沿って前記基板から離れるにしたがって、前記基板の内部側に近づく向きに傾斜するように形成されていることを特徴とする請求項４記載の携帯型電子機器における小型スピーカ実装構造。
【請求項６】
前記第１の開口部の端面と前記第２の開口部の内部側端面との間には音洩れを防止するための遮音部材が介挿されていることを特徴とする請求項１乃至５のいずれか１に記載の携帯型電子機器における小型スピーカ実装構造。
【請求項７】
前記遮音部材は、押圧されることによって変形する可塑性部材又は弾性部材からなることを特徴とする請求項６記載の携帯型電子機器における小型スピーカ実装構造。
【請求項８】
前記遮音部材は多孔質体からなることを特徴とする請求項７記載の携帯型電子機器における小型スピーカ実装構造。
【請求項９】
前記小型スピーカは、スピーカユニットがスピーカ収納体内に収納されてなり、該スピーカ収納体は、弾性部材からなることを特徴とする請求項１乃至５のいずれか１に記載の携帯型電子機器における小型スピーカ実装構造。
【請求項１０】
前記小型スピーカは、前記保持部材によって、少なくとも、前記第１の開口部の端面が、前記第２の開口部の内部側端面に対向した状態で配置されるように、位置決めされた状態で保持されていることを特徴とする請求項１乃至９のいずれか１に記載の携帯型電子機器における小型スピーカ実装構造。
【請求項１１】
前記小型スピーカは、前記保持部材によって、少なくとも、前記第１の開口部の端面が、前記第２の開口部の内部側端面に対向した状態で配置され、かつ、前記可塑性部材又は前記弾性部材が変形して、前記第１の開口部と前記第２の開口部との間を音響的に密に接合するために、前記可塑性部材又は前記弾性部材が押圧されるように、位置決めされた状態で保持されていることを特徴とする請求項７、８又は９記載の携帯型電子機器における小型スピーカ実装構造。
【請求項１２】
前記保持部材は、前記基板に前記小型スピーカを挟んで対向する前記筐体の裏面から垂下状態で形成され、前記小型スピーカの後端部を支持した状態で、弾性的変形によって前記小型スピーカを前記第２の開口部へ向けて押圧するフック部を有していることを特徴とする請求項１乃至１１のいずれか１に記載の携帯型電子機器における小型スピーカ実装構造。
【請求項１３】
前記基板に前記小型スピーカを挟んで対向する前記筐体の裏面には、前記小型スピーカの天井部の少なくとも一部を囲むように壁部が形成されていることを特徴とする請求項１乃至１２のいずれか１に記載の携帯型電子機器における小型スピーカ実装構造。
【請求項１４】
前記小型スピーカを前記筐体と前記基板との間に配置し、前記筐体と前記基板とを近づけるように、前記基板に垂直な方向に沿って締付力を加えた状態として前記携帯型電子機器を組み立てて、前記締付力によって、前記小型スピーカを、少なくとも前記第２の開口部に向けて押圧することを特徴とする請求項４乃至１３のいずれか１に記載の携帯型電子機器における小型スピーカ実装構造。
【請求項１５】
前記小型スピーカは、底部にばね性を有する接続端子を有すると共に、前記接続端子が弾性変形した状態で前記基板上の所定の部位に形成された接点に電気的に接続されるように前記基板上に配置されていることを特徴とする請求項１乃至１４のいずれか１に記載の携帯型電子機器における小型スピーカ実装構造。
【請求項１６】
前記小型スピーカは、前記保持部材によって、少なくとも、前記接続端子が前記基板上の所定の部位に形成された接点に電気的に接続された状態で、前記基板上に配置されるように、位置決めされた状態で保持されていることを特徴とする請求項１５記載の携帯型電子機器における小型スピーカ実装構造。
【請求項１７】
小型スピーカが携帯型電子機器の扁平な形状の筐体内に実装された小型スピーカ実装構造であって、
前記小型スピーカは、基板上に配置され、かつ、主として前記基板に略平行な方向に沿ってスピーカ音が放射される第１の開口部を有し、
前記筐体の側面部の前記第１の開口部と重なる位置には、前記スピーカ音の出口となる第２の開口部が設けられ、
前記筐体の裏面側には、前記第１の開口部と前記第２の開口部との間を音響的に密に接合するように、前記小型スピーカを少なくとも前記第２の開口部に向けて押圧しながら保持するための保持部材が設けられ、
前記小型スピーカは、底部にばね性を有する接続端子を有すると共に、前記接続端子が弾性変形した状態で前記基板上の所定の部位に形成された接点に電気的に接続されるように前記基板上に配置され、
かつ、前記第１の開口部の端面及び前記第２の開口部の内部側端面は、互いに略平行で、共に、前記基板に垂直な方向に沿って前記基板から離れるにしたがって、前記基板の内部側に近づく向きに前記基板に対して傾斜した傾斜面とされ、
前記第１の開口部の端面と前記第２の開口部の内部側端面との間には音洩れを防止するための多孔質体からなる遮音部材が介挿され、
前記保持部材は、前記基板に前記小型スピーカを挟んで対向する前記筐体の裏面から垂下状態で形成され、前記小型スピーカの後端部を支持した状態で、弾性的変形によって前記小型スピーカを前記第２の開口部へ向けて押圧するフック部を有し、
前記小型スピーカは、前記保持部材によって、少なくとも、前記第１の開口部の端面が、前記第２の開口部の内部側端面に対向した状態で配置され、前記遮音部材が変形して、前記第１の開口部と前記第２の開口部との間を音響的に密に接合するために、前記遮音部材が押圧されるように、かつ、前記接続端子が前記基板上の所定の部位に形成された接点に電気的に接続された状態で、前記基板上に配置されるように、位置決めされた状態で保持されている
ことを特徴とする携帯型電子機器における小型スピーカ実装構造。
【請求項１８】
請求項１乃至１７のいずれか１に記載の携帯型電子機器における小型スピーカ実装構造を備えたことを特徴とする携帯型電子機器。
【発明の詳細な説明】
【技術分野】
【０００１】
この発明は、携帯型電子機器における小型スピーカ実装構造及び該構造を備えた携帯型電子機器に係り、例えば、折畳み型の携帯電話機等の携帯型電子機器の筐体の側面から音声が放射されるように小型スピーカが配置された携帯型電子機器における小型スピーカ実装構造及び該構造を備えた携帯型電子機器に関する。
【背景技術】
【０００２】
従来より、携帯型の電子機器としての携帯電話機は、例えば、着信時に、リンガ発生部（音声出力部）からの着信音（呼出音）の出力や、着信通知ランプの点滅、バイブレータの振動等によって、着信したことをユーザに知らせるように構成されている。
このような折畳型の携帯電話機では、折畳時にユーザが着信音を確実に聴き取れるように、筐体の背面側（折畳時には外面側となる側）に、リンガ発生部を構成するスピーカを配置して、背面側からスピーカ音を放射されるように構成したり（例えば、特許文献１参照。）、また、携帯電話機を机上等に載置した状態でも聴き取れるように、筐体の側面部にスピーカ音を放射させる開口（音孔）を設けるようにしている（例えば、特許文献２参照。）。
着信時には、このスピーカが着信音を発生し、ユーザがこれを聞くことによって着信を知り、この後、筐体を開いて、所定の操作を行うこととなる。
【０００３】
筐体の側面部からスピーカ音を放射させる場合には、図１１及び図１２に示すように、筐体の側面部１０１の内部側に、開口（音孔）１０１ａに対応する位置にスピーカ１０２を嵌着状態で収納するための箱状の収納部１０３を設け、収納部１０３内に、クッション１０４を音を放出する側（下面側）に貼り付けた状態でスピーカ１０２を嵌め込み、筐体内に各種部品を実装して組み立てた時に、スピーカ１０２が押圧される際に、クッション１０４が押されて変形することによって、密着されて音洩れを防止するようにしていた。
しかしながら、開口１０１ａがスピーカ１０２の配置位置と高さ方向に沿ってずれた位置に設けられているので、筐体が厚くなってしまい、携帯電話機の薄型化の妨げとなってしまうという問題があった。
【０００４】
このため、スピーカの位置と、筐体の側面部の開口の位置とを重なるようにして、スピーカの音を放出する側を筐体の側面部の開口に対向させて、スピーカを配置する方法が提案されている。
例えば、図１３に示すように、筐体の側面部２０１の内部側に、開口２０１ａに対応する位置にスピーカ２０２を嵌着状態で収納するためのの箱状の収納部２０３を設け、収納部２０３内に、クッション２０４を音を放出する側に貼り付けた状態でスピーカ２０２を嵌め込み、かつ、スピーカ２０２の背面側（音を放出する側に背向する側）の収納部２０３の壁部との間に、板状の圧入部材２０５を圧入して、クッション２０４が側面部２０１側に押されて変形することによって、密着されて音洩れの防止が可能となる。
ここで、圧入部材２０５には、収納部２０３に設けられた係止孔２０３ａに係止される爪部２０５ａが設けられ、圧入部材２０５を圧入した際に、圧入部材２０５が所定の位置で、係着されることとなる。
【０００５】
また、図１４（ａ）に示すように、筐体の側面部３０１の内部側に、開口３０１ａに対応する位置にスピーカ３０２を嵌着状態で収納するためのの箱状の収納部３０３を設け、同図（ｂ）に示すように、収納部３０３内に、クッション３０４を音を放出する側に貼り付けた状態でスピーカ３０２を嵌め込み、かつ、スピーカ３０２の背面側（音を放出する側に背向する側）の収納部３０３の壁部との間に、圧入部材３０５を圧入し、同図（ｃ）に示すように、クッション３０４が側面部３０１側に押されて変形することによって、密着されて音洩れの防止が可能となる。
【０００６】
しかしながら、スピーカの位置と、筐体の側面部の開口の位置とを重なるようにして、スピーカの音を放出する側を筐体の側面部の開口に対向させて、スピーカを配置する上記従来技術では、筐体内に各種部品を実装して組み立てた時に、スピーカが押圧される際に、同時にクッションが押されることによって変形させるようにできないために、音洩防止用に、圧入部材を用いる必要があった。しかも、圧入部材を圧入させるために特別な治具を用いる必要があった。
このように、圧入部材等の構成部品数の増加を招くと共に、組立作業時に手間と時間がかかるという問題があった。
【０００７】
このため、筐体の側面部と、この側面部に対向するスピーカの放音部の端面とを実装方向に対して斜めにし、筐体内に各種部品を実装して組み立てた時に、スピーカが受ける押圧力によって、同時にクッションが押されて変形するように構成した技術が提案されている（例えば、特許文献３参照。）
【特許文献１】特開２００１−２１１２４１号公報
【特許文献２】特開平１０−８４１９２号公報
【特許文献３】特開平７−１１１５２４号公報
【発明の開示】
【発明が解決しようとする課題】
【０００８】
解決しようとする第１の問題点は、上記従来技術では、組立時の基板面に垂直な方向に沿った締付力を利用して、傾斜面に垂直な方向に沿った押圧力によって密着させる場合に、この密着のための十分な押圧力が得られず、確実に音洩れを防止することができないという点である。
また、第２の問題点は、スピーカが実装された基板を筐体内に組み込む場合に、構成部品の寸法のばらつき等のために、例えば、スピーカの開口位置と、筐体の開口位置とがずれてしまうことがあり、位置決めが正確になされないという点である。
【０００９】
この発明は、上述の事情に鑑みてなされたもので、機器の薄型化に寄与し、かつ、構成部品数を低減させて、簡素な構成で、密着のための十分な押圧力を得て、確実に音洩れを防止することができる携帯型電子機器における小型スピーカ実装構造及び該構造を備えた携帯型電子機器を提供することを第１の目的としている。
また、機器の薄型化に寄与し、かつ、構成部品数を低減させて、簡素な構成で密閉性を図ることができると共に、位置決めを正確に行うことができる携帯型電子機器における小型スピーカ実装構造及び該構造を備えた携帯型電子機器を提供することを第２の目的としている。
【課題を解決するための手段】
【００１０】
上記課題を解決するために、請求項１記載の発明は、小型スピーカが携帯型電子機器の筐体内に実装された小型スピーカ実装構造に係り、上記小型スピーカは、基板上に配置され、かつ、主として上記基板に略平行な方向に沿ってスピーカ音が放射される第１の開口部を有し、上記筐体の上記第１の開口部と重なる位置には、上記スピーカ音の出口となる第２の開口部が設けられ、上記筐体の裏面側には、上記第１の開口部と上記第２の開口部との間を音響的に密に接合するように、上記小型スピーカを保持するための保持部材が設けられていることを特徴としている。
ここで、小型スピーカとは、サウンダやブザー等の電気信号を音響信号に変換する音源を意味するものとする。
【００１１】
また、請求項２記載の発明は、請求項１記載の携帯型電子機器における小型スピーカ実装構造に係り、上記小型スピーカは、上記保持部材によって、少なくとも上記第２の開口部に向けて押圧された状態で保持されていることを特徴としている。
【００１２】
また、請求項３記載の発明は、請求項１又は２記載の携帯型電子機器における小型スピーカ実装構造に係り、上記筐体は、扁平な外観形状を呈し、上記第２の開口部は、上記筐体の側面部に設けられていることを特徴としている。
【００１３】
また、請求項４記載の発明は、請求項１、２又は３記載の携帯型電子機器における小型スピーカ実装構造に係り、上記第１の開口部の端面及び上記第２の開口部の内部側端面は、互いに略平行で共に上記基板に対して傾斜した傾斜面とされていることを特徴としている。
【００１４】
また、請求項５記載の発明は、請求項４記載の携帯型電子機器における小型スピーカ実装構造に係り、上記第１の開口部の端面及び上記第２の開口部の内部側端面は、上記基板に垂直な方向に沿って上記基板から離れるにしたがって、上記基板の内部側に近づく向きに傾斜するように形成されていることを特徴としている。
【００１５】
また、請求項６記載の発明は、請求項１乃至５のいずれか１に記載の携帯型電子機器における小型スピーカ実装構造に係り、上記第１の開口部の端面と上記第２の開口部の内部側端面との間には音洩れを防止するための遮音部材が介挿されていることを特徴としている。
【００１６】
また、請求項７記載の発明は、請求項６記載の携帯型電子機器における小型スピーカ実装構造に係り、上記遮音部材は、押圧されることによって変形する可塑性部材又は弾性部材からなることを特徴としている。
【００１７】
また、請求項８記載の発明は、請求項７記載の携帯型電子機器における小型スピーカ実装構造に係り、上記遮音部材は多孔質体からなることを特徴としている。
【００１８】
また、請求項９記載の発明は、請求項１乃至５のいずれか１に記載の携帯型電子機器における小型スピーカ実装構造に係り、上記小型スピーカは、スピーカユニットがスピーカ収納体内に収納されてなり、該スピーカ収納体は、弾性部材からなることを特徴としている。
【００１９】
また、請求項１０記載の発明は、請求項１乃至９のいずれか１に記載の携帯型電子機器における小型スピーカ実装構造に係り、上記小型スピーカは、上記保持部材によって、少なくとも、上記第１の開口部の端面が、上記第２の開口部の内部側端面に対向した状態で配置されるように、位置決めされた状態で保持されていることを特徴としている。
【００２０】
また、請求項１１記載の発明は、請求項７、８又は９記載の携帯型電子機器における小型スピーカ実装構造に係り、上記小型スピーカは、上記保持部材によって、少なくとも、上記第１の開口部の端面が、上記第２の開口部の内部側端面に対向した状態で配置され、かつ、上記可塑性部材又は上記弾性部材が変形して、上記第１の開口部と上記第２の開口部との間を音響的に密に接合するために、上記可塑性部材又は上記弾性部材が押圧されるように、位置決めされた状態で保持されていることを特徴としている。
【００２１】
また、請求項１２記載の発明は、請求項１乃至１１のいずれか１に記載の携帯型電子機器における小型スピーカ実装構造に係り、上記保持部材は、上記基板に上記小型スピーカを挟んで対向する上記筐体の裏面から垂下状態で形成され、上記小型スピーカの後端部を支持した状態で、弾性的変形によって上記小型スピーカを上記第２の開口部へ向けて押圧するフック部を有していることを特徴としている。
【００２２】
また、請求項１３記載の発明は、請求項１乃至１２のいずれか１に記載の携帯型電子機器における小型スピーカ実装構造に係り、上記基板に上記小型スピーカを挟んで対向する上記筐体の裏面には、上記小型スピーカの天井部の少なくとも一部を囲むように壁部が形成されていることを特徴としている。
【００２３】
また、請求項１４記載の発明は、請求項４乃至１３のいずれか１に記載の携帯型電子機器における小型スピーカ実装構造に係り、上記小型スピーカを上記筐体と上記基板との間に配置し、上記筐体と上記基板とを近づけるように、上記基板に垂直な方向に沿って締付力を加えた状態として上記携帯型電子機器を組み立てて、上記締付力によって、上記小型スピーカを、少なくとも上記第２の開口部に向けて押圧することを特徴としている。
【００２４】
また、請求項１５記載の発明は、請求項１乃至１４のいずれか１に記載の携帯型電子機器における小型スピーカ実装構造に係り、上記小型スピーカは、底部にばね性を有する接続端子を有すると共に、上記接続端子が弾性変形した状態で上記基板上の所定の部位に形成された接点に電気的に接続されるように上記基板上に配置されていることを特徴としている。
【００２５】
また、請求項１６記載の発明は、請求項１５記載の携帯型電子機器における小型スピーカ実装構造に係り、上記小型スピーカは、上記保持部材によって、少なくとも、上記接続端子が上記基板上の所定の部位に形成された接点に電気的に接続された状態で、上記基板上に配置されるように、位置決めされた状態で保持されていることを特徴としている。
【００２６】
また、請求項１７記載の発明は、小型スピーカが携帯型電子機器の扁平な形状の筐体内に実装された小型スピーカ実装構造に係り、上記小型スピーカは、基板上に配置され、かつ、主として上記基板に略平行な方向に沿ってスピーカ音が放射される第１の開口部を有し、上記筐体の側面部の上記第１の開口部と重なる位置には、上記スピーカ音の出口となる第２の開口部が設けられ、上記筐体の裏面側には、上記第１の開口部と上記第２の開口部との間を音響的に密に接合するように、上記小型スピーカを少なくとも上記第２の開口部に向けて押圧しながら保持するための保持部材が設けられ、上記小型スピーカは、底部にばね性を有する接続端子を有すると共に、上記接続端子が弾性変形した状態で上記基板上の所定の部位に形成された接点に電気的に接続されるように上記基板上に配置され、かつ、上記第１の開口部の端面及び上記第２の開口部の内部側端面は、互いに略平行で、共に、上記基板に垂直な方向に沿って上記基板から離れるにしたがって、上記基板の内部側に近づく向きに上記基板に対して傾斜した傾斜面とされ、上記第１の開口部の端面と上記第２の開口部の内部側端面との間には音洩れを防止するための多孔質体からなる遮音部材が介挿され、上記保持部材は、上記基板に上記小型スピーカを挟んで対向する上記筐体の裏面から垂下状態で形成され、上記小型スピーカの後端部を支持した状態で、弾性的変形によって上記小型スピーカを上記第２の開口部へ向けて押圧するフック部を有し、上記小型スピーカは、上記保持部材によって、少なくとも、上記第１の開口部の端面が、上記第２の開口部の内部側端面に対向した状態で配置され、上記遮音部材が変形して、上記第１の開口部と上記第２の開口部との間を音響的に密に接合するために、上記遮音部材が押圧されるように、かつ、上記接続端子が上記基板上の所定の部位に形成された接点に電気的に接続された状態で、上記基板上に配置されるように、位置決めされた状態で保持されていることを特徴としている。
【００２７】
また、請求項１８記載の発明に係る携帯型電子機器は、請求項１乃至１７のいずれか１に記載の携帯型電子機器における小型スピーカ実装構造を備えたことを特徴としている。
【発明の効果】
【００２８】
この発明の構成によれば、第１の開口部から主として基板に略平行な方向に沿ってスピーカ音が放射され、保持部材によって、第１の開口部と第２の開口部との間を音響的に密に接合するように、小型スピーカが保持されるので、機器の薄型化に寄与し、かつ、構成部品数を低減させて、簡素な構成で、密着のための十分な押圧力を得て、確実に音洩れを防止することができる。
また、小型スピーカが、保持部材によって、少なくとも、第１の開口部の端面が、第２の開口部の内部側端面に対向した状態で配置されるように、位置決めされた状態で保持されることによって、機器の薄型化に寄与し、かつ、構成部品数を低減させて、簡素な構成で密閉性を図ることができると共に、位置決めを正確に行うことができる。
【発明を実施するための最良の形態】
【００２９】
第１の開口部から主として基板に略平行な方向に沿ってスピーカ音が放射され、保持部材によって、第１の開口部と第２の開口部との間を音響的に密に接合するように、小型スピーカが保持されことによって、機器の薄型化に寄与し、かつ、構成部品数を低減させて、簡素な構成で、密着のための十分な押圧力を得て、確実に音洩れを防止するという第１の目的を実現した。
また、小型スピーカが、保持部材によって、少なくとも、第１の開口部の端面が、第２の開口部の内部側端面に対向した状態で配置されるように、位置決めされた状態で保持されることによって、機器の薄型化に寄与し、かつ、構成部品数を低減させて、簡素な構成で密閉性を図ることができると共に、位置決めを正確に行うという第２の目的を実現した。
【実施例】
【００３０】
図１は、この発明の一実施例である携帯電話機の上側ユニットの一部を拡大して示す拡大断面図、図２は、同携帯電話機の構成を示す斜視図であって、筐体が閉じた状態を示す図、図３は、同携帯電話機の構成を示す斜視図であって、筐体が開いた状態を示す図、図４は、同携帯電話機の構成を示すブロック図、図５は、同上側ユニットのリアカバーの一部を裏面側から見た下面図、図６は、図５のＡ−Ａ線に沿った断面図、図７は、同携帯電話機の音声出力部を構成する小型スピーカの斜視図、図８は、同小型スピーカをクッションを除いた状態で示す斜視図、図９は、同小型スピーカを裏面側から見た斜視図、また、図１０は、同携帯電話機の組立方法を説明するための説明図である。
【００３１】
この例の携帯電話機１は、折畳可能な筐体を備えると共に、本来の通話機能のほか、例えば電子メールの送受信やインターネットに接続してホームページの閲覧が可能なデータ通信機能を有し、図２及び図３に示すように、上側ユニット２と下側ユニット３とが、折畳可能なようにヒンジ部４で相互に結合されて構成されている。
上側ユニット２は、図１乃至図４に示すように、折畳可能な扁平な筐体５を構成する上側筐体６に、例えば着信時に着信音を発生する小型スピーカ７を有してなる音声出力部８と、液晶表示装置からなり例えば機能設定画面や待受画面等が表示される表示部９と、受話音声出力用スピーカを有してなる受話部１１とが実装されて概略構成されている。
【００３２】
下側ユニット３は、図２乃至図４に示すように、折畳可能な扁平な筐体５を構成する下側筐体１２に、当該携帯電話機本体の構成各部を制御する制御部１３と、制御部１３が実行する処理プログラムや各種データ等を記憶するための記憶部１４と、数字や文字の入力操作等を行うための多数の各種操作キー等からなる操作部１５と、アンテナ１６を介して無線電波の送受信を行い、所定のプロトコルに従って通話やデータ通信を行うために用いられる無線通信部１７と、送話音声入力用マイクロフォンを有してなる送話部１８とが実装されて概略構成されている。
【００３３】
なお、上記筐体５は、ヒンジ部４で相互に結合された上側筐体６と下側筐体１２とからなり、ヒンジ部４は、上側筐体６と下側筐体１２とを回転自在に結合して当該携帯電話機１に折畳可能な構造を付与している。
また、音声出力部８、表示部９及び受話部１１等を構成する小型スピーカ７を含む各種電子部品は、主基板及び補助基板上に配置され、各種電子部品が搭載された主基板及び補助基板、表示部９を構成する光学部品等は、上側筐体６を構成するフロントケース２１とリアカバー２２とによって、上下両方向から押さえられるようにして、上側筐体６内に格納される。
また、制御部１３、記憶部１４及び無線通信部１７等を構成する各種電子部品は、基板上に配置され、基板等は下側筐体１２を構成するフロントケース２３とリアカバー２４とによって、上下両方向から押さえられるようにして、下側筐体１２内に格納される。
【００３４】
音声出力部８は、図１と、図５乃至図９とに示すように、リアカバー２２の裏面側に保持された小型スピーカ７と、小型スピーカ７の開口部７ａ側に配置され、音洩れを防止するためのクッション部材２５とを有し、小型スピーカ７で発生した音波が、リアカバー２２の側面部に形成された開口部２２ａから放射されるように構成されている。
小型スピーカ７は、音源としてのスピーカユニットがスピーカ収納体内に収納されてなり、開口部７ａの縁部の先端面７ｂは、小型スピーカ７が配置される補助基板の基板面に対して所定の角度（例えば、４５°）で傾斜している。
【００３５】
また、小型スピーカ７には、その後端面の中央部にフック部２２ｇに係止される爪部７ｃが設けられ、かつ、底部にフック部２２ｃに載せられる座面部７ｄが設けられている。
また、小型スピーカ７は、底部に、ばね性を有する一対の接続端子７ｅ，７ｅを有し、これらの接続端子７ｅ，７ｅが弾性変形した状態で補助基板上の所定の部位に形成された接点に電気的に接続されて補助基板上に配置されている。
クッション部材２５は、例えば、ウレタンフォーム等の変形可能な多孔質体（スポンジ状部材）からなり、小型スピーカ７の傾斜した先端面７ｂ及び天井面７ｆの一部を覆うように貼り付けられている。
この例では、開口部７ａもクッション部材２５によって覆われ、塵埃等の侵入が防止される。
【００３６】
この例の小型スピーカ実装構造２８は、図１と、図５乃至図９とに示すように、小型スピーカ７が、その開口部７ａがリアカバー２２の側面部に形成された開口部２２ａに重なるように位置決めされた状態で、リアカバー２２の裏面側に保持され、かつ、クッション部材２５が、先端面７ｂと開口部２２ａの内部側縁部との間、及び天井面７ｆとリアカバー２２の下面２２ｅとの間に挟まれて圧接により変形した状態で配置され、音洩れが防止されると共に、小型スピーカ７で発生し開口部７ａから放出された音波が、リアカバー２２の開口部２２ａから放射されるように構成されている。
【００３７】
リアカバー２２の開口部２２ａの内部側縁部は、小型スピーカ７取付時に、先端面７ｂと略平行となる傾斜面２２ｂとされ、傾斜面２２ｂの下方（フロントケース２１側）には、小型スピーカ７の座面部７ｄが載せられるフック部２２ｃが形成されている。また、開口部２２ａの内部側縁部の傾斜面２２ｂのうち、先端面７ｂの開口部７ａの左右両側の領域に対向する部位は一対の圧接用リブ２２ｄ，２２ｄとされている。
また、リアカバー２２の下面２２ｅには、小型スピーカ７取付時に案内するための案内リブ２２ｆ，２２ｆが垂下状態で形成され、小型スピーカ７の天井面７ｆの輪郭に対応するように配置されている。
また、リアカバー２２の下面２２ｅの小型スピーカ７の後端部に対応する部位からは、小型スピーカ７の爪部７ｃを係止するフック部２２ｇが垂下状態で形成されている。
【００３８】
ここで、傾斜面２２ｂ（圧接用リブ２２ｄ，２２ｄを含む）、フック部２２ｃ、案内リブ２２ｆ，２２ｆ、及びフック部２２ｇは、小型スピーカ７が保持された状態で、開口部２２ａと開口部７ａとが正確に対向配置されるように、かつ、圧接されて変形されたクッション部材２５を介して、開口部２２ａと開口部７ａとの間が音響的に密に接合するように、さらに、接続端子７ｅ，７ｅが補助基板上の所定の部位に形成された接点に電気的に接続された状態で、補助基板上に配置されるように、位置決めされるように、配置されている。
【００３９】
主表示部９は、上側筐体６の内側の面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００４０】
制御部１３は、共にＣＰＵ（中央処理装置）等からなり、記憶部１４に記憶された各種処理プログラムを実行し、記憶部１４に確保された各種レジスタやフラグを用いて、構成各部を制御し各種制御処理を実行する。
記憶部１４は、ＲＯＭ、ＲＡＭ等の半導体メモリからなり、制御部１３が実行する操作制御処理プログラムや、通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部１４には、制御部１３がプログラム実行時に用いる各種レジスタやフラグが確保されている。
【００４１】
操作部１５は、図３に示すように、下側筐体１２に実装され、例えば合成樹脂製の多数のキーボタンが、例えば合成ゴム製の弾性体からなるシート部材上の所定の位置に接着されてなるキーシートがドーム状に突起しスイッチを構成する金属板接点が絶縁性シートの裏面側に設けられてなるメタルドームシートを介して、各種電子部品が搭載された基板上に配置されて構成されている。
無線通信部１７は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
【００４２】
この例の携帯電話機１を組み立てるには、まず、図１０（ａ）に示すように、クッション部材２５が先端面７ｂ及び天井面７ｆの一部を覆うように貼り付けられ小型スピーカ７を、その先端部を上にして傾けた状態で、案内リブ２２ｆ，２２ｆの案内によって、先端部をリアカバー２２の開口部２２ａの内部側縁部に押し当て、座面部７ｄをフック部２２ｃに引っ掛ける。
次に、同図（ｂ）に示すように、座面部７ｄをフック部２２ｃに引っ掛けた状態で、案内リブ２２ｆ，２２ｆの案内によって、フック部２２ｃの引掛部位を中心に小型スピーカ７を回転させて、小型スピーカ７の後端部をフック部２２ｇの先端部に接触させながら引き上げる。ここで、クッション部材２５は、傾斜面２２ｂ（特に圧接用リブ２２ｄ，２２ｄ）と小型スピーカ７の先端面７ｂとの間、及び下面２２ｅと天井面７ｆとの間に挟まれ圧接されて徐々に変形していく。
【００４３】
これによって、フック部２２ｇは小型スピーカ７から離反するように撓み、同図（ｃ）に示すように、爪部７ｃがフック部２２ｇに係止されて、小型スピーカ７は、リアカバー２２の裏面側に位置決めされた状態で取り付けられる。
ここで、クッション部材２５は、傾斜面２２ｂ（特に圧接用リブ２２ｄ，２２ｄ）と小型スピーカ７の先端面７ｂとの間、及び下面２２ｅと天井面７ｆとの間に挟まれ、それぞれ、例えば、先端面７ｂ、天井面７ｆに略垂直な方向に沿った圧接力を受けて圧接されて変形する。
【００４４】
これによって、リアカバー２２の開口部２２ａの内部側縁部と、小型スピーカ７の開口部７ａとは、圧接されたクッション部材２５を介して密閉され、音洩れが防止された状態で、接合される。下面２２ｅと天井面７ｆとの間も、圧接されたクッション部材２５によって塞がれて、下面２２ｅ側への音洩れも防止される。
また、小型スピーカ７は、傾斜面２２ｂ（圧接用リブ２２ｄ，２２ｄを含む）、フック部２２ｃ、案内リブ２２ｆ，２２ｆ、及びフック部２２ｇによって、開口部２２ａと開口部７ａとが正確に対向配置されるように、かつ、圧接されて変形されたクッション部材２５を介して、開口部２２ａと開口部７ａとの間が音響的に密に接合するように保持されている。
【００４５】
一方、フロントケース２１に、表示部９を構成する光学部品や主基板等を組み付けた後、小型スピーカ７を搭載する補助基板を組み付ける。
この後、小型スピーカ７が取り付けられたリアカバー２２を、フロントケース２１と合わせる。
ここで、小型スピーカ７は、傾斜面２２ｂ（圧接用リブ２２ｄ，２２ｄを含む）、フック部２２ｃ、案内リブ２２ｆ，２２ｆ、及びフック部２２ｇによって、接続端子７ｅ，７ｅが補助基板上の所定の部位に形成された接点に電気的に接続された状態で、補助基板上に配置されるように、位置決めされた状態で保持されている。したがって、接続端子７ｅ，７ｅは、補助基板の対応する接点に接触する。
さらに、一対の接続端子７ｅ，７ｅは、弾性変形した状態で補助基板上の接点に電気的に接続されて確実に電気的接続が図られる。
【００４６】
次に、フロントケース２１と、リアカバー２２とを嵌合することによって、又は雌ねじや雄ねじ等の固定具による締付けによって、小型スピーカ７は、リアカバー２２と補助基板との間に圧接状態で挟まれる。すなわち、補助基板に垂直な方向に沿って締付力が与えられる。
これによって、クッション部材２５がさらに両側から圧接されて変形し、接合部位での密着性がさらに高められる。
【００４７】
こうして組み立てられた携帯電話機１において、筐体を開いた状態で、例えば着信があると、制御部１３は、小型スピーカ７に所定の信号を与えるように制御し、これによって、小型スピーカ７は、所定の着信音を発生する。
この着信音は、小型スピーカ７の開口部７ａから放射され、開口部７ａと開口部２２ａとのクッション部材２５を介した密閉性が保たれた接合部位を音洩れすることなく通過し、開口部２２ａがら外部に放射される。
また、例えば、サイトからダウンロードしたプログラムを実行する場合に、筐体を開いた状態で、画像が主表示部７に表示されると共に、小型スピーカ７から出力された音声は開口部２２ａから放射される。
開口部７ａと開口部２２ａとのクッション部材２５を介した接合部位での密閉性が保たれ、音洩れが防止され、途中で音波が放散しないので、開口部２２ａからは、ユーザは、適切な音量で明瞭な着信音等を聞くことができる。
【００４８】
このように、この例の構成によれば、リアカバー２２の裏面側に、傾斜面２２ｂ（圧接用リブ２２ｄ，２２ｄを含む）、フック部２２ｃ、案内リブ２２ｆ，２２ｆ、及びフック部２２ｇが一体的に形成され、かつ、所定の角度で傾斜した先端面７ｂと傾斜面２２ｂとが互いに平行な状態で対向配置されているので、筐体の側面側からに音声を放射させる場合であっても、簡素な構成で、十分な押圧力でクッション部材２５を圧接して変形させて、開口部２２ａと開口部７ａとの接合部位で、確実に音洩れを防止することができる。
したがって、開口部２２ａと開口部７ａとの接合部位での密閉性が保たれるため、途中で音波が放散せず、音洩れを防止することができ、ユーザは音声を適切な音量で明瞭に聞き取ることができる。
【００４９】
また、傾斜面２２ｂ（圧接用リブ２２ｄ，２２ｄを含む）、フック部２２ｃ、案内リブ２２ｆ，２２ｆ、及びフック部２２ｇは、小型スピーカ７が保持された状態で、開口部２２ａと開口部７ａとが正確に対向配置されるように、かつ、圧接されて変形されたクッション部材２５を介して、開口部２２ａと開口部７ａとの間が音響的に密に接合するように、さらに、接続端子７ｅ，７ｅが補助基板上の所定の部位に形成された接点に電気的に接続された状態で、補助基板上に配置されるように、位置決めされるように、配置されているので、開口部２２ａと開口部７ａとの位置合わせや小型スピーカ７の補助基板上への配置のための小型スピーカ７の位置決めを簡単にかつ正確に行うことができる。
【００５０】
また、リアカバー２２の裏面側に、傾斜面２２ｂ（圧接用リブ２２ｄ，２２ｄを含む）、フック部２２ｃ、案内リブ２２ｆ，２２ｆ、及びフック部２２ｇが一体的に形成されいるので、圧入部材等を用いる必要がないので、構成部品数を低減させ、コストを低減させることができる。
また、専用の治具を用いる必要もないので、簡単にかつ迅速に組み立てることができ、作業性を向上させることができる。
また、リアカバー２２の側面部の開口部２２ａをリアカバー２２の表面に近い位置に設けることができるので、機器の薄型化に寄与することができる。
【００５１】
また、フロントケース２１と、リアカバー２２とを嵌合することによって、又は雌ねじや雄ねじ等の固定具による締付けによって、小型スピーカ７は、リアカバー２２と補助基板との間に圧接状態で挟まれるので、クッション部材２５がさらに両側から圧接されて変形し、接合部位での密着性をさらに高めることができる。
また、ばね性を有する接続端子７ｅ，７ｅによって電気的接続が確実になされると共に、小型スピーカ７がリアカバー２２に対して押しつけられるので、密閉性の確保に寄与し、音洩れを一段と確実に防止することができる。
また、ばね性を有する接続端子７ｅ，７ｅが補助基板をリアカバー２２側に押し付けることによって、補助基板を確実に固定することに寄与することができる。
また、小型スピーカ７の開口領域もクッション部材２５に覆われているので、塵埃や水滴の小型スピーカ７内部への侵入が防止される。
【００５２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、小型スピーカ７の爪部７ｃを係止するフック部２２ｇを、単にリアカバー２２の下面２２ｅの小型スピーカ７の後端部に対応する部位から垂下させるように形成した場合について述べたが、このフック部２２ｇと小型スピーカ７との間に、板状のばね等の弾性部材を介在させても良し、フック部２２ｇに代えて、下面２２ｅの所定の箇所の周りに回動可能にかつトーションばね等によって小型スピーカ７を押す向きに付勢させた作動部材を配置するようにしても良い。
また、クッション部材を廃し、小型スピーカを構成するスピーカ収納体を変形可能な弾性部材から構成するようにしても良い。
【００５３】
また、先端面７ｂと傾斜面２２ｂとを共に、小型スピーカ７が配置される補助基板の基板面に対して４５°で傾斜させる場合について述べたが、この傾斜角度は、もちろん、４５°に限らず、例えば、１０°から８０°の間の角度としても良い。
また、特に、フック部２２ｇ等の保持部材によって、小型スピーカ７に対して、補助基板の基板面に沿って、筐体の開口部２２ａへ向かう十分な押圧力が得られるときは、先端面７ｂと傾斜面２２ｂとを共に、必ずしも傾斜させずに、これらの面を上記補助基板の基板面に対して略垂直となるように形成しても良い。
また、上述した小型スピーカ７を１個に限らず、２個以上設ける場合にも適用することができる。
また、電子カメラユニットを付加して、撮影機能や、テレビ電話機能を持たせるようにしても良い。この場合、小型スピーカから受話音声の出力も可能なように構成しても良い。
また、小型スピーカから撮影時に擬似シャッタ音を発生させるようにしても良い。
また、小型スピーカを上側筐体（受話部を設けた側）に配置する場合について述べたが、これに限らず、下側筐体（送話部を設けた側）に配置しても良い。
【産業上の利用可能性】
【００５４】
携帯型電子機器としては、携帯電話機のほか、簡易型携帯電話（ＰＨＳ）端末や、携帯情報端末（ＰＤＡ）、携帯型のコンピュータに対して適用できる。
【図面の簡単な説明】
【００５５】
【図１】この発明の一実施例である携帯電話機の上側ユニットの一部を拡大して示す拡大断面図である。
【図２】同携帯電話機の構成を示す斜視図であって、筐体が閉じた状態を示す図である。
【図３】同携帯電話機の構成を示す斜視図であって、筐体が開いた状態を示す図である。
【図４】同携帯電話機の構成を示すブロック図でる。
【図５】同上側ユニットのリアカバーの一部を裏面側から見た下面図である。
【図６】図５のＡ−Ａ線に沿った断面図である。
【図７】同携帯電話機の音声出力部を構成する小型スピーカの斜視図である。
【図８】同小型スピーカをクッションを除いた状態で示す斜視図である。
【図９】同小型スピーカを裏面側から見た斜視図である。
【図１０】同携帯電話機の組立方法を説明するための説明図である。
【図１１】従来技術を説明するための説明図である。
【図１２】従来技術を説明するための説明図である。
【図１３】従来技術を説明するための説明図である。
【図１４】従来技術を説明するための説明図である。
【符号の説明】
【００５６】
１      携帯電話機（携帯型電子機器）
２      上側ユニット
３      下側ユニット
５      筐体
６      上側筐体
７      小型スピーカ
７ａ      開口部（第１の開口部）
７ｂ      先端面
７ｃ      爪部
７ｄ      座面部
７ｅ      接続端子
７ｆ      天井面
８      音声出力部
１２      下側筐体
２１      フロントケース
２２      リアカバー（保持部材）
２２ａ      開口部（第２の開口部）
２２ｂ      傾斜面
２２ｃ      フック部（保持部材の一部）
２２ｄ      圧接用リブ
２２ｅ      下面（裏面）
２２ｆ      案内リブ（壁部）
２２ｇ      フック部（保持部材の一部）
２５      クッション部材（遮音部材、可塑性部材、多孔質体）
２８      小型スピーカ実装構造
【図１】
2006019980.tif 000003
【図２】
2006019980.tif 000004
【図３】
2006019980.tif 000005
【図４】
2006019980.tif 000006
【図５】
2006019980.tif 000007
【図６】
2006019980.tif 000008
【図７】
2006019980.tif 000009
【図８】
2006019980.tif 000010
【図９】
2006019980.tif 000011
【図１０】
2006019980.tif 000012
【図１１】
2006019980.tif 000013
【図１２】
2006019980.tif 000014
【図１３】
2006019980.tif 000015
【図１４】
2006019980.tif 000016